(57)【要約】【課題】データ送信量が増大した場合であっても、通信設備の増強なしにデータ受信できること。【解決手段】監視対象群単位でデータを取得し、取得したデータに基づいて決定される負荷値が閾値以上となり過負荷状態と判定された場合に、負荷値が略均等になるように、データの送信元の監視対象群を分割し、新たな監視対象群を形成する群形成部２１と、監視対象群に対し、群形成部２１による分割回数の相違を識別させる識別情報を割り当て、分割回数が多い場合に、分割回数が少ない場合より大きい数値を用いた識別情報とする識別情報決定部２２と、数値が小さい識別情報を割り当てられた監視対象群から順にデータを送信させ、かつ、各監視対象群から送信されるデータの送信タイミングに時間差を設けて送信させる要求指令を出力する要求指令出力部２３とを備える。【選択図】図３
2013236264.tif 000002
【特許請求の範囲】
【請求項１】
複数の遠隔の監視対象の領域内に設けられる監視対象機器から収集されたデータを、ネットワークを介して収集する監視装置であって、
一以上の前記監視対象をグループ化した監視対象群単位で前記データを取得し、取得した前記データに基づいて決定される負荷値が閾値以上となり過負荷状態と判定された場合に、前記負荷値が略均等になるように、前記データの送信元の前記監視対象群を分割し、新たな前記監視対象群を形成する群形成手段と、
前記監視対象群に対し、前記群形成手段による分割回数の相違を識別させる識別情報を割り当て、前記分割回数が多い場合に、前記分割回数が少ない場合より大きい数値を用いた前記識別情報とする識別情報決定手段と、
前記数値が小さい前記識別情報を割り当てられた前記監視対象群から順に前記データを送信させ、かつ、各前記監視対象群から送信される前記データの送信タイミングに時間差を設けて送信させる要求指令を出力する要求指令出力手段と
を具備する監視装置。
【請求項２】
前記識別情報決定手段は、前記群形成手段による分割が行われた場合に、分割前の前記監視対象群に割り当てられている前記識別情報の前記数値をインクリメントし、新たな前記監視対象群の前記識別情報とする請求項１に記載の監視装置。
【請求項３】
前記群形成手段は、新たな前記監視対象機器が追加され、前記監視対象の領域が増加した場合に、前記識別情報の前記数値が最も小さい前記監視対象群に、増加した前記監視対象を含めて新たな前記監視対象群を形成し、
前記識別情報決定手段は、前記群形成手段によって前記監視対象が追加された前記監視対象群の前記識別情報をインクリメントする請求項１または請求項２に記載の監視装置。
【請求項４】
前記群形成手段は、前記過負荷状態と判定された場合に、前記データの送信元の前記監視対象群に含まれる前記監視対象の個数が略半分ずつになるように、前記監視対象群を２つに分割し、新たな前記監視対象群を２つ形成する請求項１から請求項３のいずれかに記載の監視装置。
【請求項５】
請求項１から請求項４のいずれかに記載の監視装置と、
前記監視装置とネットワークを介して遠隔地に接続される監視対象と
を具備する監視システム。
【請求項６】
複数の遠隔の監視対象の領域内に設けられる監視対象機器から収集されたデータを、ネットワークを介して収集する監視装置の負荷平準化方法であって、
一以上の前記監視対象をグループ化した監視対象群単位で前記データを取得し、取得した前記データに基づいて決定される負荷値が閾値以上となり過負荷状態と判定された場合に、前記負荷値が略均等になるように、前記データの送信元の前記監視対象群を分割し、新たな前記監視対象群を形成する第１過程と、
前記監視対象群に対し、分割回数の相違を識別させる識別情報を割り当て、前記分割回数が多い場合に、前記分割回数が少ない場合より大きい数値を用いた前記識別情報とする第２過程と、
前記数値が小さい前記識別情報を割り当てられた前記監視対象群から順に前記データを送信させ、かつ、各前記監視対象群から送信される前記データの送信タイミングに時間差を設けて送信させる要求指令を出力する第３過程と
を有する監視装置の負荷平準化方法。
【請求項７】
複数の遠隔の監視対象の領域内に設けられる監視対象機器から収集されたデータを、ネットワークを介して収集する監視装置の負荷平準化プログラムであって、
一以上の前記監視対象をグループ化した監視対象群単位で前記データを取得し、取得した前記データに基づいて決定される負荷値が閾値以上となり過負荷状態と判定された場合に、前記負荷値が略均等になるように、前記データの送信元の前記監視対象群を分割し、新たな前記監視対象群を形成する第１処理と、
前記監視対象群に対し、分割回数の相違を識別させる識別情報を割り当て、前記分割回数が多い場合に、前記分割回数が少ない場合より大きい数値を用いた前記識別情報とする第２処理と、
前記数値が小さい前記識別情報を割り当てられた前記監視対象群から順に前記データを送信させ、かつ、各前記監視対象群から送信される前記データの送信タイミングに時間差を設けて送信させる要求指令を出力する第３処理と
をコンピュータに実行させるための監視装置の負荷平準化プログラム。
【発明の詳細な説明】
【技術分野】
【０００１】
本発明は、監視装置および負荷平準化方法並びにプログラム、それを備える監視システムに関するものである。
【背景技術】
【０００２】
例えば、空気調和機を監視対象とし、空気調和機の室外機から収集した運転データを、インターネット回線を通じて遠隔に配置される監視拠点のサーバで受信し、運転データを管理する空気調和機の２４時間遠隔監視システムが知られている。従来、このような２４時間遠隔監視システムでは、監視装置は、監視対象からデータを常時送信させるのでなく、１日１回定時刻に監視対象からデータを送信させ、監視拠点で受信することにより、監視拠点の通信負荷を軽減させていた。しかしながら、監視拠点と接続される監視対象の数が増大した場合には、定時刻における通信負荷が膨大となり、通信回線の容量やサーバの処理能力などの監視拠点の設備に不足が生じることから、通信設備の増強をしなければならないという問題があった。
これに対し、下記特許文献１では、監視対象から監視データを送信するタイミングをずらし、複数の監視対象においてデータ送信が重ならないようにすることで、監視拠点側の通信負荷の増大を抑制する方法が提案されていた。
【先行技術文献】
【特許文献】
【０００３】
【特許文献１】特開２００５−７３１３１号公報
【発明の概要】
【発明が解決しようとする課題】
【０００４】
しかしながら、上記特許文献１の方法では、送信タイミングが一致するグループ内から送信される監視データのデータ量が一時的に増え、通信負荷が増大した場合には、監視拠点側における処理能力の不足が生じてしまい、結果として、通信設備の増強が必要になるという問題が解決できなかった。
【０００５】
本発明は、送信タイミングを一致させるグループからのデータ送信量が増大した場合であっても、通信設備の増強なしにデータ受信を可能とする監視装置および負荷平準化方法並びにプログラム、それを備える監視システムを提供することを目的とする。
【課題を解決するための手段】
【０００６】
上記課題を解決するために、本発明は以下の手段を採用する。
本発明は、複数の遠隔の監視対象の領域内に設けられる監視対象機器から収集されたデータを、ネットワークを介して収集する監視装置であって、一以上の前記監視対象をグループ化した監視対象群単位で前記データを取得し、取得した前記データに基づいて決定される負荷値が閾値以上となり過負荷状態と判定された場合に、前記負荷値が略均等になるように、前記データの送信元の前記監視対象群を分割し、新たな前記監視対象群を形成する群形成手段と、前記監視対象群に対し、前記群形成手段による分割回数の相違を識別させる識別情報を割り当て、前記分割回数が多い場合に、前記分割回数が少ない場合より大きい数値を用いた前記識別情報とする識別情報決定手段と、前記数値が小さい前記識別情報を割り当てられた前記監視対象群から順に前記データを送信させ、かつ、各前記監視対象群から送信される前記データの送信タイミングに時間差を設けて送信させる要求指令を出力する要求指令出力手段とを具備する監視装置を提供する。
【０００７】
このような構成によれば、複数の遠隔の監視対象に設けられる監視対象機器から収集されたデータをネットワークを介して収集する監視装置であって、一以上の監視対象をグループ化した監視対象群単位で取得したデータに基づいて決定される負荷値が閾値以上となり過負荷状態と判定された場合に、負荷値が略均等になるように、データの送信元の監視対象群が分割されて新たな監視対象群が形成され、監視対象群は、分割回数が多い場合に少ない場合より大きい数値を用いた分割回数の相違を識別させる識別情報が割り当てられ、数値が小さい識別情報に割り当てられた監視対象群から順にデータを送信させ、かつ、各監視対象群からのデータの送信タイミングに時間差を設けて送信させる要求指令が出力される。
このように、過負荷状態である場合には監視対象群を分割して、各監視対象群の負荷値を低減して送信させるように制御するので、通信設備の増強などの通信負荷の増大に対する対策をせずに、通信負荷の集中を防ぐことができる。本発明は、エアコンの室外機および給湯装置の熱源機を含む空調設備の遠隔監視に用いて好適である。
【０００８】
上記監視装置の前記識別情報決定手段は、前記群形成手段による分割が行われた場合に、分割前の前記監視対象群に割り当てられている前記識別情報の前記数値をインクリメントし、新たな前記監視対象群の前記識別情報とすることとしてもよい。
【０００９】
監視対象群の識別情報は、分割回数が増える度に１ずつ増やされることとなるので、簡便に新たな監視対象群の識別情報の割り当てができる。
【００１０】
上記監視装置の前記群形成手段は、新たな前記監視対象機器が追加され、前記監視対象の領域が増加した場合に、前記識別情報の前記数値が最も小さい前記監視対象群に、増加した前記監視対象を含めて新たな前記監視対象群を形成し、前記識別情報決定手段は、前記群形成手段によって前記監視対象が追加された前記監視対象群の前記識別情報をインクリメントすることが好ましい。
【００１１】
数値が大きい監視対象群は分割回数が多いことを示しており、数値が大きい監視対象群に増分の監視対象を追加した場合には、１日に１回データを送信するケースを例に挙げれば、送信タイミングが日に日に後方にずれることが推定される。本発明のように数値が小さい監視対象群に対して増分の監視対象を追加することにより、日毎の送信タイミングを安定させることができる。
【００１２】
上記監視装置の前記群形成手段は、前記過負荷状態と判定された場合に、前記データの送信元の前記監視対象群に含まれる前記監視対象の個数が略半分ずつになるように、前記監視対象群を２つに分割し、新たな前記監視対象群を２つ形成することとしてもよい。
【００１３】
これにより、簡便に監視対象群を分割することができる。また、送信されるデータのデータ量が略同じである場合には、分割したそれぞれの監視対象群の負荷値を、最も少ない回数の分割で速やかに閾値より小さくさせることができる。
【００１４】
本発明は、上記いずれかに記載の監視装置と、前記監視装置とネットワークを介して遠隔地に接続される監視対象とを具備する監視システムを提供する。
【００１５】
本発明は、複数の遠隔の監視対象の領域内に設けられる監視対象機器から収集されたデータを、ネットワークを介して収集する監視装置の負荷平準化方法であって、一以上の前記監視対象をグループ化した監視対象群単位で前記データを取得し、取得した前記データに基づいて決定される負荷値が閾値以上となり過負荷状態と判定された場合に、前記負荷値が略均等になるように、前記データの送信元の前記監視対象群を分割し、新たな前記監視対象群を形成する第１過程と、前記監視対象群に対し、分割回数の相違を識別させる識別情報を割り当て、前記分割回数が多い場合に、前記分割回数が少ない場合より大きい数値を用いた前記識別情報とする第２過程と、前記数値が小さい前記識別情報を割り当てられた前記監視対象群から順に前記データを送信させ、かつ、各前記監視対象群から送信される前記データの送信タイミングに時間差を設けて送信させる要求指令を出力する第３過程とを有する監視装置の負荷平準化方法を提供する。
【００１６】
本発明は、複数の遠隔の監視対象の領域内に設けられる監視対象機器から収集されたデータを、ネットワークを介して収集する監視装置の負荷平準化プログラムであって、一以上の前記監視対象をグループ化した監視対象群単位で前記データを取得し、取得した前記データに基づいて決定される負荷値が閾値以上となり過負荷状態と判定された場合に、前記負荷値が略均等になるように、前記データの送信元の前記監視対象群を分割し、新たな前記監視対象群を形成する第１処理と、前記監視対象群に対し、分割回数の相違を識別させる識別情報を割り当て、前記分割回数が多い場合に、前記分割回数が少ない場合より大きい数値を用いた前記識別情報とする第２処理と、前記数値が小さい前記識別情報を割り当てられた前記監視対象群から順に前記データを送信させ、かつ、各前記監視対象群から送信される前記データの送信タイミングに時間差を設けて送信させる要求指令を出力する第３処理とをコンピュータに実行させるための監視装置の負荷平準化プログラムを提供する。
【発明の効果】
【００１７】
本発明は、送信タイミングを一致させるグループからのデータ送信量が増大した場合であっても、通信設備の増強なしにデータ受信できるという効果を奏する。
【図面の簡単な説明】
【００１８】
【図１】本発明の第１の実施形態に係る監視システムの概略構成を示した図である。
【図２】本発明の第１の実施形態に係る監視装置の概略構成を示した図である。
【図３】本発明の第１の実施形態に係る監視装置の機能ブロック図である。
【図４】監視装置の通信負荷の平準化方法として、１回分割が行われた場合を説明するための図である。
【図５】図４の続きとして、さらに分割が行われる場合を説明するための図である。
【図６】本発明の第２の実施形態に係る監視装置において、監視装置の通信負荷の平準化方法として、監視対象が１つ増加した場合を説明するための図である。
【図７】図６の続きとして、さらに監視対象が１つ増加した場合を説明するための図である。
【図８】図７の続きとして、さらに監視対象が１つ増加した場合を説明するための図である。
【発明を実施するための形態】
【００１９】
以下に、本発明に係る監視装置および負荷平準化方法並びにプログラム、それを備える監視システムの実施形態について図面を参照して説明する。
【００２０】
〔第１の実施形態〕
本実施形態においては、監視対象機器を空気調和機の室外機の場合を例に挙げて説明するが、これに限定されず、例えば、給湯装置の熱源機であってもよい。
以下、本発明の第１の実施形態について、図１を用いて説明する。
図１に示されるように、監視システム１は、監視拠点４の監視装置１０と、監視対象３ａ，３ｂ，３ｃ，３ｄとを備えている。なお、本実施形態においては、監視対象が４つであることとして説明するが、監視対象の個数は特に限定されない。また、特に明記しない場合には、監視対象は監視対象３として記載する。
【００２１】
監視拠点４と監視対象３ａ，３ｂ，３ｃ，３ｄとはそれぞれネットワーク２を介して接続されている。ネットワーク２は、標準規格化された通信プロトコル（例えば、ＴＣＰ／ＩＰ）を使用したネットワークであり、例えば、インターネットである。
監視対象３ａ，３ｂ，３ｃ，３ｄは、空気調和機の室外機（監視対象機器）３３、データ収集装置３２、および通信機器３１をそれぞれ備えており、情報の授受可能に接続されている。
室外機３３は、空気調和機の室外機であり、室内機に対応付けて設けられている。
【００２２】
データ収集装置３２は、室外機３３から収集される室外機３３の運転データ（データ）を定期的に取得し、格納している。また、データ収集装置３２は、図示しない計時部を有しているので時間間隔が計測でき、送受信の時間間隔を指定する要求指令を取得した場合には、計測した時間間隔に基づいて運転データの送受信ができるようになっている。
通信機器３１は、監視対象３と監視拠点４とを相互接続し、各拠点間のデータの送受信を仲介する。具体的には、ルーティング機能を有するルータ、変復調装置であるモデムを含む。
監視拠点４は、監視装置側の通信機器１７および監視装置１０を備えている。
通信機器１７は、監視対象３と監視拠点４とを相互接続し、各拠点間のデータの送受信を仲介する。具体的には、ルーティング機能を有するルータ、変復調装置であるモデムを含む。
【００２３】
図２は、本実施形態に係る監視装置の概略構成を示したブロック図である。
図２に示すように、本実施形態に係る監視装置１０は、コンピュータシステム（計算機システム）であり、ＣＰＵ（中央演算処理装置）１１、ＲＡＭ（Ｒａｎｄｏｍ  Ａｃｃｅｓｓ  Ｍｅｍｏｒｙ）等の主記憶装置１２、補助記憶装置１３、キーボードやマウスなどの入力装置１４、及びディスプレイやプリンタなどの出力装置１５、外部の機器と通信を行うことにより情報の授受を行う通信装置１６などを備えている。
補助記憶装置１３は、コンピュータ読取可能な記録媒体であり、例えば、磁気ディスク、光磁気ディスク、ＣＤ−ＲＯＭ、ＤＶＤ−ＲＯＭ、半導体メモリ等である。この補助記憶装置１３には、各種プログラム（例えば、負荷平準化プログラム）が格納されており、ＣＰＵ１１が補助記憶装置１３から主記憶装置１２にプログラムを読み出し、実行することにより種々の処理を実現させる。
【００２４】
図３は、監視装置１０が備える機能を展開して示した機能ブロック図である。図３に示されるように、監視装置１０は、負荷判定部２０と、群形成部（群形成手段）２１と、識別情報決定部（識別情報決定手段）２２と、要求指令出力部（要求指令出力手段）２３とを備えている。
次に、上述した監視装置１０が備える各部において実行される処理内容について図３を参照して説明する。なお、図３に示した各部により実現される後述の各種処理は、ＣＰＵ１１が補助記憶装置１３に記憶されている負荷平準化プログラムを主記憶装置１２に読み出して実行することにより実現されるものである。
【００２５】
負荷判定部２０は、監視対象群単位で運転データを取得し、取得した運転データに基づいて決定される負荷値が閾値以上である場合に過負荷状態と判定し、閾値より小さい場合には過負荷状態でないと判定し、判定結果を群形成部２１に出力する。例えば、負荷判定部２０は、推定される運転データのデータ通信量に応じて設けられる所定時間（受信にかかる許容時間）を閾値とし、実際の運転データの受信にかかった時間を負荷値とした時、運転データの受信が所定時間内に完了しなかった場合に過負荷状態であると判定し、運転データの受信が所定時間内に完了した場合に過負荷状態でないと判定する。或いは、負荷判定部２０は、最初に運転データを受信した時刻から負荷値の計測を開始し、全ての監視対象３の運転データを受信完了していなくても、計測している負荷値が閾値を超過したことが検出された場合に、過負荷状態として判定しても良い。
なお、本実施形態では負荷判定部２０は、運転データの受信にかかった時間に基づいて過負荷状態か否かを判定しているが、過負荷状態の判定方法はこれに限定されない。
【００２６】
群形成部２１は、一以上の監視対象３をグループ化した監視対象群を形成する。例えば、群形成部２１は、監視対象群が形成されていない時に、ネットワーク２を介して接続される監視対象３が、監視対象３ａ，３ｂ，３ｃ、３ｄの４つあることを検出した場合は、全ての監視対象３ａ，３ｂ，３ｃ，３ｄを１つの監視対象群としてグループ化する。
【００２７】
また、群形成部２１は、負荷判定部２０により過負荷状態であると判定された場合には、負荷値が略均等になるように、運転データの送信元の監視対象群を分割し、新たな監視対象群を形成する。具体的には、群形成部２１は、過負荷状態と判定された場合に、運転データの送信元の監視対象群に含まれる監視対象３の個数が略半分ずつになるように、監視対象群を２つに分割し、新たな監視対象群を２つ形成する。例えば、４つの監視対象３からの運転データが過負荷状態と判定された場合には、群形成部２１は監視対象を２つずつに分け、２つのグループ（新たな監視対象群）に分割する。
【００２８】
また、各監視対象３に含まれる監視対象機器の個数が同じであり、監視対象機器が空気調和機の室外機３３である場合には、運転データとして送信されるデータは、温度、コンプレッサの回転数、圧力等の情報であり、これらはいずれの監視対象３から取得するものであってもデータ容量は略同等と推定されるので、個数を略半分ずつにすることで、最も少ない分割回数によって、負荷値を速やかに閾値より小さくできる。
【００２９】
識別情報決定部２２は、監視対象群に対し、群形成部２１による分割回数の相違を識別させる識別情報を割り当て、分割回数が多い場合に、分割回数が少ない場合より大きい数値を用いた識別情報とする。具体的には、識別情報決定部２２は、群形成部２１による分割が行われた場合に、分割前の監視対象群に割り当てられている識別情報の数値をインクリメントし、新たな監視対象群の識別情報とする。例えば、監視対象３ａ，３ｂ，３ｃ，３ｄをグループ化した監視対象群に割り当てられる識別情報を「０群」とした場合、過負荷状態であると判定されて１回分割された場合には、分割後の２つの監視対象群に割り当てられる識別情報は１増加させ、「１群」とする。
【００３０】
要求指令出力部２３は、数値が小さい識別情報を割り当てられた監視対象群から順に運転データを送信させ、かつ、各監視対象群から送信される運転データの送信タイミングに時間差を設けて送信させる要求指令を出力する。例えば、異なる識別情報を有する監視対象群として「０群」と「１群」とがある場合、要求指令出力部２３は、「１群」の監視対象群に含まれる監視対象３よりも、先に「０群」の監視対象群に含まれる監視対象３に対して、運転データの送信の要求指令を出力する。また、同じ数値の監視対象群が複数ある場合には、要求指令出力部２３は、所定の順序で送信先を選定して要求指令を出力する。
【００３１】
以下に具体例を示して、本実施形態に係る監視装置の通信負荷の平準化方法について、図１から図５を用いて説明する。本実施形態においては、４つの監視対象３ａ，３ｂ，３ｃ，３ｄを１つの監視対象群とし、この監視対象群に対して識別情報として０群を割り当てている場合を例として説明する。また、各監視対象群が運転データを送信する送信間隔を１０分として説明するが、送信間隔は特に限定されない。
【００３２】
図４に示されるように、運転データの取得が開始されるタイミングである、１月１日（図４では「１／１」と示す）の時刻０：００において、識別情報「０群」が割り当てられている監視対象（図４では「対象」と示す）３ａ，３ｂ，３ｃ，３ｄを含む監視対象群に対し、運転データを送信させる要求指令が出力される。監視対象３ａ，３ｂ，３ｃ，３ｄに含まれるデータ収集装置３２から、それぞれ対応する室外機３３から収集した運転データが同時に送信される。各監視対象３から送信された運転データは、ネットワーク２を介して監視拠点４の監視装置１０に入力される。
【００３３】
監視装置１０において、「０群」に含まれる４つの監視対象３から送信された運転データのうち、最初に受信した時刻から、４つ目の監視対象３から受信した時刻までの期間が計測され、これが負荷値とされる。「０群」に含まれる４つの監視対象３から取得する運転データの受信にかかると推定される時間である閾値と、負荷値とが比較され、負荷値が閾値より小さければ、過負荷状態でないと判定され、負荷値が閾値以上である場合には過負荷状態であると判定される。
【００３４】
過負荷状態であると判定された場合には、「０群」の監視対象群に含まれていた４つの監視対象３は、監視対象３ａ，３ｂを含む第１監視対象群Ｘ１と、監視対象３ｃ，３ｄを含む第２監視対象群Ｘ２とに分割することが決定される。また、第１監視対象群Ｘ１と第２監視対象群Ｘ２の識別情報は、それぞれ「０＋１＝１群」に決定される。
「１群」とする識別情報と、運転データを送信させるタイミングを１０分後（つまり、時刻０：１０）に設定するタイミング情報が含まれる要求指令とが、分割指令として第１監視対象群Ｘ１に対して出力される。また、「１群」とする識別情報と、運転データを送信させるタイミングを２０分後（つまり、時刻０：２０）に設定するタイミング情報が含まれる要求指令とが、分割指令として第２監視対象群Ｘ２に対して出力される。
【００３５】
時刻０：１０において、第１監視対象群Ｘ１に含まれる監視対象３ａ，３ｂのそれぞれのデータ収集装置３２から、監視装置１０に対して運転データが送信される。監視装置１０は、監視対象３ａ，３ｂから運転データを取得し、過負荷状態でないと判定した場合には受信完了の旨が通知される。さらに１０分後の時刻０：２０には、第２監視対象群Ｘ２に含まれる監視対象３ｃ，３ｄのそれぞれのデータ収集装置３２から、運転データが送信される。監視装置１０は、監視対象３ｃ，３ｄから運転データを取得し、過負荷状態でないと判定した場合には、受信完了を通知し、運転データの受信を完了する。
【００３６】
続いて、上記図４の時刻０：１０および時刻０：２０において、過負荷状態であると判定された場合について、図５を用いて説明する。
１月１日の時刻０：１０において、第１監視対象群Ｘ１の監視対象３ａ，３ｂから送信された運転データに基づいて、過負荷状態と判定された場合には、第１監視対象群Ｘ１を分割する分割指令が出力される。ここで、監視対象３ａを含む監視対象群を第３監視対象群Ｘ３、監視対象３ｂを含む監視対象群を第４監視対象群Ｘ４とし、それぞれの識別情報を「１＋１＝２群」とする。
【００３７】
「２群」以下の監視対象群として、「２群」、「１群」および「０群」の識別情報が割り当てられている監視対象群の有無が判定される。図５の例では、「２群」および「０群」はなく、「１群」の監視対象群が１つ（監視対象３ｃ，３ｄを含む第２監視対象群Ｘ２）あるので、第３監視対象群Ｘ３および第４監視対象群Ｘ４から運転データを送信させるタイミングは、「１群」の第２監視対象群Ｘ２からの受信時刻０：２０以降として、時刻０：３０（つまり、２０分後）および時刻０：４０（つまり、３０分後）に決定される。
こうして、第１監視対象群Ｘ１が過負荷状態であると判定された場合には、第３監視対象群Ｘ３には、「２群」とする識別情報と、２０分後の時刻０：３０に運転データを送信させる要求指令とを含む分割指令が出力され、第４監視対象群Ｘ４には、「２群」とする識別情報と、３０分後の時刻０：４０に運転データを送信させる要求指令とを含む分割指令が出力される。
【００３８】
時刻０：２０において、第２監視対象群Ｘ２に含まれる監視対象３ｃ，３ｄの運転データを取得すると、負荷値と閾値とが比較され、過負荷状態と判定された場合には、監視対象３ｃ，３ｄのグループを分割する分割指令が出力される。ここで、監視対象３ｃを含む監視対象群を第５監視対象群Ｘ５、監視対象３ｄを含む監視対象群を第６監視対象群Ｘ６とし、それぞれの識別情報を「１＋１＝２群」とする。ここで、「２群」以下の識別情報が割り当てられる監視対象群の有無が判定される。
【００３９】
図５では、時刻０：２０以降に残された「１群」および「０群」はなく、「２群」の監視対象群は２つ（監視対象３ａを含む第３監視対象群Ｘ３、監視対象３ｂを含む第４監視対象群Ｘ４）あることから、時刻０：３０および時刻０：４０は受信予定があり、送信タイミングが埋まっていることがわかる。これにより、第５監視対象群Ｘ５に対しては、「２群」の識別情報と、時刻０：５０（つまり、３０分後）に運転データを送信させる要求指令とを含む分割指令を出力し、第６監視対象群Ｘ６に対しては、「２群」の識別情報と、時刻１：００（つまり、４０分後）に運転データを送信させる要求指令とを含む分割指令を出力する。
【００４０】
時刻０：３０において、第３監視対象群Ｘ３の監視対象３ａのデータ収集装置３２から、運転データが送信され、過負荷状態でないと判定された場合には、受信完了が通知される。同様に、時刻０：４０には、第４監視対象群Ｘ４の監視対象３ｂのデータ収集装置３２から、運転データが送信され、過負荷状態でなければ受信完了が通知され、時刻０：５０には、第５監視対象群Ｘ５のデータ収集装置３２から運転データが送信され、過負荷状態でなければ受信完了が通知され、時刻１：００には、第６監視対象群Ｘ６のデータ収集装置３２から運転データが送信され、過負荷状態でなければ受信完了が通知される。
【００４１】
以上説明してきたように、本実施形態に係る監視装置１０および負荷平準化方法並びにプログラム、それを備える監視システム１によれば、複数の遠隔の監視対象３に設けられる監視対象機器から収集された運転データをネットワーク２を介して収集する監視装置１０であって、一以上の監視対象３をグループ化した監視対象群単位で取得したデータに基づいて決定される負荷値が閾値以上となり過負荷状態と判定された場合に、負荷値が略均等になるように、運転データの送信元の監視対象群が分割されて新たな監視対象群が形成され、監視対象群は、分割回数が多い場合に少ない場合より大きい数値を用いた分割回数の相違を識別させる識別情報が割り当てられ、数値が小さい識別情報に割り当てられた監視対象群から順に運転データを送信させ、かつ、各監視対象群からの運転データの送信タイミングに時間差を設けて送信させる要求指令が出力される。
このように、過負荷状態である場合には監視対象群を分割して、各監視対象群の負荷値を低減して送信させるように制御するので、通信設備の増強などの通信負荷の増大に対する対策をせずに、通信負荷の集中を防ぐことができる。
【００４２】
また、過負荷状態であると判定した場合には、その同じ数値の群数以下の監視対象群の有無を判定し、同じ数値の群数以下の監視対象群がある場合には、それらの監視対象群からの運転データ取得のタイミングを避けた時刻に運転データを送信させる要求指令を生成し、同じ数値の群数以下の監視対象群がない場合には、予め設定された所定の送信間隔（本実施形態では、１０分）後の時刻に運転データを送信させる要求指令を生成する。このように、監視対象群に割り当てられている識別情報の数値に応じて、運転データの送信タイミングを調整することにより、複数の監視対象群から順序よく運転データを取得できる。
【００４３】
なお、本実施形態においては、監視対象群を分割した後、各監視対象群から運転データを送信させるタイミング制御は、監視装置１０が指定した経過時間後（例えば、１０分後、２０分後など）に監視対象から送信させるような要求指令を出力することで行っていたが、タイミング制御の方法はこれに限定されない。例えば、分割後の監視対象群に対しては、分割するグループ分けの情報と識別情報とを通知し、所定の時間間隔を監視装置１０側で計測しておき、監視装置１０側からその都度、運転データを送信させる要求指令を出力することによって、各監視対象群からの送信タイミングを調整する制御を行うこととしてもよい。
【００４４】
〔第２の実施形態〕
次に、本発明の第２の実施形態に係る監視装置および負荷平準化方法並びにプログラム、それを備える監視システムについて説明する。本実施形態に係る監視装置は、第１の実施形態の構成に加え、群形成部が監視対象を追加して新たな監視対象群を形成する点で、上述の第１の実施形態と異なる。以下、本実施形態に係る監視装置について、第１の実施形態と共通する点については説明を省略し、異なる点について主に説明する。
【００４５】
群形成部２１は、新たな監視対象機器が追加され、監視対象の領域が増加した場合に、識別情報の数値が最も小さい監視対象群に、増加した監視対象を含めて新たな監視対象群を形成する。
識別情報決定部２２は、群形成部２１によって監視対象が追加された監視対象群の識別情報をインクリメントする。
要求指令出力部２３は、監視対象群の分割の発生などの状況変化に応じて、分割が行われる監視対象群以外の監視対象群に対し、運転データの送信を待機させる要求指令を出力する。
【００４６】
以下に具体例を示して、本実施形態に係る監視装置の通信負荷の平準化方法について、図を用いて説明する。本実施形態においては、図５で示されるような、４つの監視対象３，３ｂ，３ｃ，３ｄがそれぞれ１つずつ含む監視対象群に分けられ、各々の監視対象群が「２群」とされ運用されている時に、新たな監視対象３ｅが増加した場合を例として説明する。また、前段で説明したように、監視対象３ａを含む監視対象群を第１監視対象群Ｘ１、監視対象３ｂを含む監視対象群を第２監視対象群Ｘ２、監視対象３ｃを含む監視対象群を第３監視対象群Ｘ３、監視対象３ｄを含む監視対象群を第４監視対象群Ｘ４という。
【００４７】
図６に示されるように、新たな監視対象３ｅが増加した場合には、最も小さい数値の識別情報「２群」を有する監視対象群である第１監視対象群Ｘ１、第２監視対象群Ｘ２、第３監視対象群Ｘ３、および第４監視対象群Ｘ４のうち、監視対象３ａを含む第１監視対象群Ｘ１が監視対象３ｅを追加する監視対象群として選定される。第１監視対象群Ｘ１に監視対象３ｅが追加されると、当該監視対象群の識別情報は「２＋１＝３群」とされる（以下、「第７監視対象群Ｘ７」という）。
【００４８】
２月１日（図６および以下「２／１」と示す）の時刻０：００において、最も小さい識別情報「２群」が割り当てられている監視対象群のうち、監視対象（図６では「対象」と示す）３ｂを含む第４監視対象群Ｘ４が選定されると、第４監視対象群Ｘ４に対して運転データを送信させる要求指令が出力される。要求指令を取得した第４監視対象群Ｘ４のデータ収集装置３２が、対応する室外機３３から収集した運転データを送信する。第４監視対象群Ｘ４から送信された運転データは、ネットワーク２を介して監視拠点４の監視装置１０に入力される。第４監視対象群Ｘ４から取得した運転データに基づいて過負荷状態でないと判定された場合には、受信完了を通知する。
【００４９】
１０分後の時刻０：１０に、他の「２群」が割り当てられている監視対象群である監視対象３ｃを含む第５監視対象群Ｘ５に対して、運転データを送信させる要求指令が出力され、それに応じて第５監視対象群Ｘ５から運転データが送信され、監視装置１０に入力される。第５監視対象群Ｘ５から取得した運転データに基づいて過負荷状態でないと判定された場合には、受信完了を出力する。同様に、１０分後の時刻０：２０に、第６監視対象群Ｘ６に対して、運転データを送信させる要求指令が出力され、運転データを取得する。第６監視対象群Ｘ６から取得した運転データに基づいて、過負荷状態でないと判定され、他の「２群」以下の数値の識別情報を有する監視対象群がない場合には、続いて、「３群」の監視対象群が運転データの取得対象とされる。
【００５０】
１０分後の時刻０：３０において、「３群」が割り当てられている第７監視対象群Ｘ７に対して、運転データを送信させる要求指令が出力される。第７監視対象群Ｘ７から運転データが出力され、監視装置１０に入力されると、負荷値と閾値とが比較される。負荷値が閾値以上となり過負荷状態であると判定された場合には、第７監視対象群Ｘ７は、監視対象３ａを含む第８監視対象群Ｘ８と、監視対象３ｅを含む第９監視対象群Ｘ９との２つの監視対象群に分割される。
【００５１】
第８監視対象群Ｘ８に対しては、「３＋１＝４群」とした識別情報と、他の識別情報「３群」が割り当てられている監視対象がないので１０分後の時刻０：４０に運転データを送信させる要求指令と含む分割指令が出力される。第９監視対象群Ｘ９に対しては、「４群」として識別情報と、２０分後の時刻０：５０に運転データを送信させる要求指令とを含む分割指令が出力される。第８監視対象群Ｘ８から取得した運転データが過負荷状態でない場合には、受信完了を通知し、また、第９監視対象群Ｘ９から取得した運転データが過負荷状態でない場合には、受信完了を通知し、本処理を終了する。
【００５２】
また、上記図６を用いて説明してきた状況で運用している場合に、さらに監視対象３ｆが増加した場合について、図７を用いて以下に説明する。
図７に示されるように、新たな監視対象３ｆが追加された場合には、最も小さい数値の識別情報「２群」を有する監視対象群に割り当てられている第４監視対象群Ｘ４、第５監視対象群Ｘ５、および第６監視対象群Ｘ６のうち、第４監視対象群Ｘ４が監視対象３ｆの追加先に選定された場合を例に挙げて説明する。
第４監視対象群Ｘ４が監視対象３ｆの追加先として選定された場合には、第４監視対象群Ｘ４は、識別情報を「２＋１＝３群」とされ、監視対象３ｂおよび監視対象３を含む監視対象群とされる（以下「第１０監視対象群Ｘ１０」という）。
【００５３】
運転データの取得が開始されるタイミングである、３月１日（図７では「３／１」と示す）の時刻０：００において、最も小さい識別情報「２群」に割り当てられている第５監視対象群Ｘ５に対して運転データを送信させる要求指令が出力され、第５監視対象群Ｘ５の監視対象３ｃに含まれるデータ収集装置３２から運転データが送信される。過負荷状態でない場合には、受信完了が通知される。続いて１０分後の時刻０：１０において、第６監視対象群Ｘ６に運転データを送信させる要求指令が出力され、これに応じて第６監視対象群Ｘ６から運転データが送信され、監視装置１０に入力される。過負荷状態でない場合には、受信完了が通知される。
【００５４】
さらに１０分後の時刻０：２０において、識別情報「２群」が割り当てられている監視対象がないので、次に小さい識別情報「３群」が割り当てられている第１０監視対象群Ｘ１０から運転データを取得するべく運転データを送信させる要求指令が出力され、第１０監視対象群Ｘ１０に含まれる監視対象３ｂ，３ｆから運転データが送信される。
監視装置１０において、監視対象３ｂ，３ｆの運転データに基づく負荷値が、閾値以上となり過負荷状態であると判定された場合には、監視対象３ｂを含む第１１監視対象群Ｘ１１と、監視対象３ｆを含む監視対象群を第１２監視対象群Ｘ１２とに分割し、各監視対象群の識別情報を「３＋１＝４群」とする。
【００５５】
監視装置１０は、第１０監視対象群Ｘ１０を分割させる分割指令を出力する。また、第１０監視対象群の後に、他の監視対象群の送信有無が判定される。図７に示されるように、監視対象３ａを含む第８監視対象群Ｘ８、および監視対象３ｅを含む第９監視対象群Ｘ９からの運転データ送信予約があると判定した場合には、第８監視対象群Ｘ８および第９監視対象群Ｘ９に対して、送信を待機させる要求指令が出力される。
【００５６】
１０分後の時刻０：３０において、第１１監視対象群Ｘ１１から運転データが送信され、過負荷状態でないと判定された場合には、受信完了が通知され、時刻０：４０において、第１２監視対象群Ｘ１２から運転データが送信され、過負荷状態でないと判定された場合には、受信完了が通知される。
【００５７】
第１２監視対象群Ｘ１２の運転データの取得が完了すると、運転データの送信を待機させていた第８監視対象群Ｘ８に対して、運転データを送信させる要求指令が出力される。第８監視対象群Ｘ８から運転データが送信され、過負荷状態でないと判定されれば、受信完了が通知される。同様に、運転データの送信を待機させていた第９監視対象群Ｘ９に対して、運転データを送信させる要求指令が出力される。第９監視対象群Ｘ９から運転データが送信され、過負荷状態でないと判定されれば、受信完了が通知され、本処理を終了する。
【００５８】
さらに、上記図７を用いて説明してきた状況で運用している場合に、監視対象３ｇが増加した場合について、図８を用いて以下に説明する。
監視対象３ｇが増加した場合には、最も小さい識別情報として「２群」が用いられている場合には、「２群」が割り当てられている監視対象３ｃを含む第５監視対象群Ｘ５、および監視対象３ｄを含む第６監視対象群Ｘ６うち、第５監視対象群Ｘ５が選定され、第５監視対象群Ｘ５に監視対象３ｇが追加された場合を例に挙げて説明する。
監視対象３ｃおよび監視対象３ｇを含む監視対象群は第１３監視対象群Ｘ１３とし、識別情報は、「２＋１＝３群」とする。
【００５９】
４月１日（図９では「４／１」と示す）の時刻０：００において、最も小さい識別情報「２群」に割り当てられている第６監視対象群に対し、運転データを送信させる要求指令が出力され、第６監視対象群Ｘ６から運転データを取得する。「２群」の監視対象群が他にないので、次に小さい識別情報である「３群」に割り当てられている監視対象群が運転データ送信の対象とされる。
【００６０】
第１３監視対象群Ｘ１３に対し、運転データを送信させる要求指令が出力される。第１３監視対象群Ｘ１３から運転データが送信され、第１３監視対象群Ｘ１３から取得した運転データの負荷値が閾値以上となり、過負荷状態であると判定された場合には、それぞれを別の監視対象群に分割する分割指令が出力される。
【００６１】
監視対象３ｃを含む監視対象群は第１４監視対象群Ｘ１４とされ、監視対象３ｇを含む監視対象群は第１５監視対象群Ｘ１５とされ、それぞれの監視対象群は識別情報「３＋１＝４群」とされる。「３群」に割り当てられる監視対象群がない場合には、他の運転データ取得が割り込まれることがないので、第１４監視対象群Ｘ１４には、「４群」とする識別情報と、運転データを送信させるタイミングを１０分後の時刻０：２０とする要求指令とを分割指令として出力し、第１５監視対象群Ｘ１５には、「４群」とする識別情報と、運転データ送信のタイミングを２０分後の時刻０：３０とする要求指令とを分割指令として出力する。
【００６２】
また、運転データの送信を控えている監視対象群である第１１監視対象群Ｘ１１、第１２監視対象群Ｘ１２、第８監視対象群Ｘ８、および第９監視対象群Ｘ９に対しては、監視装置１０側から、運転データの送信待機をさせる要求指令が出力される。
その後、第１４監視対象群Ｘ１４、第１５監視対象群Ｘ１５からの運転データの取得が過負荷状態でなく、受信完了した場合には、同様に、送信待機させていた監視対象群から、順次運転データを取得する。
【００６３】
以上説明してきたように、本実施形態に係る監視装置および負荷平準化方法並びにプログラム、それを備える監視システムによれば、数値が小さい監視対象群に対して、増分の監視対象を追加して運転データの送受信をさせることにより、数値が大きい監視対象群に対して監視対象を追加する場合と比較して、各監視対象群からの日毎の送信タイミングを安定させることができる。
【符号の説明】
【００６４】
１  監視システム
３ａ，３ｂ，３ｃ，３ｄ  監視対象
４  監視拠点
１０  監視装置
２０  負荷判定部
２１  群形成部
２２  識別情報決定部
２３  要求指令出力部
３３  室外機（監視対象機器）
【図１】
2013236264.tif 000003
【図２】
2013236264.tif 000004
【図３】
2013236264.tif 000005
【図４】
2013236264.tif 000006
【図５】
2013236264.tif 000007
【図６】
2013236264.tif 000008
【図７】
2013236264.tif 000009
【図８】
2013236264.tif 000010